(57)【要約】【課題】送信されてきた用紙をそのまま返信もしくは転送するような場合でも、誤送信防止機能を使用できるようにする。【解決手段】画像送受信装置１０では、Ｂさんのファクシミリ番号を含む２次元コード９０を自局であるＡさんのファクシミリ番号の２次元コード９１に変更した後に、Ｂさんの画像送信装置２０に対して画像データの送信を実行する。そのため、Ｂさんがこの用紙に何らかの情報を記入した後に、画像送受信装置２０にセットして、Ａさんのファクシミリ番号を設定した場合でも、設定されたファクシミリ番号と、セットされた原稿に付加されている２次元コード９１に含まれる宛先情報とが一致するため、画像データの送信は正常に行われる。【選択図】図７
2007306181.tif 000002
【特許請求の範囲】
【請求項１】
画像データを読み取る画像読み取り手段と、
前記画像読み取り手段により読み取られた画像データ中に含まれる宛先情報が、指定された送信先の宛先情報と一致するか否かを判定する判定手段と、
前記画像読み取り手段により読み取られた画像データ中に含まれる宛先情報を処理する処理手段と、
前記判定手段における判定結果に基づいて、前記処理手段により宛先情報が処理された後の画像データを指定された送信先に送信する送信手段と、
を有する画像送信装置。
【請求項２】
画像データを読み取る画像読み取り手段と、
前記画像読み取り手段により読み取られた画像データ中に含まれる宛先情報が、指定された送信先の宛先情報と一致するか否かを判定する判定手段と、
前記画像読み取り手段により読み取られた画像データ中に含まれる宛先情報を処理する処理手段と、
前記判定手段における判定結果に基づいて、前記処理手段により宛先情報が処理された後の画像データを指定された送信先に送信する送信手段と、
送信されてきた画像データを受信する受信手段と、
前記受信手段により受信された画像データに基づいて画像形成を行う画像形成手段と、
を有する画像送受信装置。
【請求項３】
画像データを読み取る画像読み取り手段と、前記画像読み取り手段により読み取られた画像データ中に含まれる宛先情報が、指定された送信先の宛先情報と一致するか否かを判定する判定手段と、前記画像読み取り手段により読み取られた画像データ中に含まれる宛先情報を処理する処理手段と、前記判定手段における判定結果に基づいて、前記処理手段により宛先情報が処理された後の画像データを指定された送信先に送信する送信手段とを有する画像送信装置と、
前記画像送信装置から送信されてきた画像データを受信する受信手段と、前記受信手段により受信された画像データに基づいて画像形成を行う画像形成手段とを有する画像受信装置と、
を備えた画像送受信システム。
【請求項４】
送信されてきた画像データを受信する受信手段と、
前記受信手段により受信された画像データ中に含まれる宛先情報を処理する処理手段と、
前記処理手段により宛先情報が処理された画像データに基づいて画像形成を行う画像形成手段と、
を有する画像受信装置。
【請求項５】
画像データを読み取る画像読み取り手段と、
前記画像読み取り手段により読み取られた画像データを指定された送信先に送信する送信手段と、
送信されてきた画像データを受信する受信手段と、
前記受信手段により受信された画像データ中に含まれる宛先情報を処理する処理手段と、
前記処理手段により宛先情報が処理された画像データに基づいて画像形成を行う画像形成手段と、
を有する画像送受信装置。
【請求項６】
画像データを読み取る画像読み取り手段と、前記画像読み取り手段により読み取られた画像データを指定された送信先に送信する送信手段とを有する画像送信装置と、
前記画像送信装置から送信されてきた画像データを受信する受信手段と、前記受信手段により受信された画像データ中に含まれる宛先情報を処理する処理手段と、前記処理手段により宛先情報が処理された画像データに基づいて画像形成を行う画像形成手段とを有する画像受信装置と、
を備えた画像送受信システム。
【請求項７】
画像データを読み取る画像読み取り手段と、
前記画像読み取り手段により読み取られた画像データ中に含まれる宛先情報が、指定された送信先の宛先情報と一致するか否かを判定する判定手段と、
送信先の装置が次に送信すべき装置の宛先情報を、前記画像読み取り手段により読み取られた画像データに付加する付加手段と、
前記判定手段における判定結果に基づいて、前記付加手段により宛先情報が付加された画像データを指定された送信先に送信する送信手段と、
を有する画像送信装置。
【請求項８】
画像データを読み取る画像読み取り手段と、
前記画像読み取り手段により読み取られた画像データ中に含まれる宛先情報が、指定された送信先の宛先情報と一致するか否かを判定する判定手段と、
送信先の装置が次に送信すべき装置の宛先情報を、前記画像読み取り手段により読み取られた画像データに付加する付加手段と、
前記判定手段における判定結果に基づいて、前記付加手段により宛先情報が付加された画像データを指定された送信先に送信する送信手段と、
送信されてきた画像データを受信する受信手段と、
前記受信手段により受信された画像データに基づいて画像形成を行う画像形成手段と、
を有する画像送受信装置。
【請求項９】
画像データを読み取る画像読み取り手段と、前記画像読み取り手段により読み取られた画像データ中に含まれる宛先情報が指定された送信先の宛先情報と一致するか否かを判定する判定手段と、送信先の装置が次に送信すべき装置の宛先情報を、前記画像読み取り手段により読み取られた画像データに付加する付加手段と、前記判定手段における判定結果に基づいて前記付加手段により宛先情報が付加された画像データを指定された送信先に送信する送信手段とを有する画像送信装置と、
前記画像送信装置から送信されてきた画像データを受信する受信手段と、前記受信手段により受信された画像データに基づいて画像形成を行う画像形成手段とを有する画像受信装置と、
を備えた画像送受信システム。
【請求項１０】
画像データを読み取る画像読み取り手段と、
前記画像読み取り手段により読み取られた画像データ中に含まれる宛先情報が、指定された送信先の宛先情報と一致するか否かを判定する判定手段と、
自局の宛先情報が記憶されている記憶手段と、
前記記憶手段に記憶されている自局の宛先情報を、前記画像読み取り手段により読み取られた画像データに付加する付加手段と、
前記判定手段における判定結果に基づいて、前記付加手段により宛先情報が付加された画像データを指定された送信先に送信する送信手段と、
を有する画像送信装置。
【請求項１１】
画像データを読み取る画像読み取り手段と、
前記画像読み取り手段により読み取られた画像データ中に含まれる宛先情報が、指定された送信先の宛先情報と一致するか否かを判定する判定手段と、
自局の宛先情報が記憶されている記憶手段と、
前記記憶手段に記憶されている自局の宛先情報を、前記画像読み取り手段により読み取られた画像データに付加する付加手段と、
前記判定手段における判定結果に基づいて、前記付加手段により宛先情報が付加された画像データを指定された送信先に送信する送信手段と、
送信されてきた画像データを受信する受信手段と、
前記受信手段により受信された画像データに基づいて画像形成を行う画像形成手段と、
を有する画像送受信装置。
【請求項１２】
画像データを読み取る画像読み取り手段と、前記画像読み取り手段により読み取られた画像データ中に含まれる宛先情報が指定された送信先の宛先情報と一致するか否かを判定する判定手段と、自局の宛先情報が記憶されている記憶手段と、前記記憶手段に記憶されている自局の宛先情報を、前記画像読み取り手段により読み取られた画像データに付加する付加手段と、前記判定手段における判定結果に基づいて前記付加手段により宛先情報が付加された画像データを指定された送信先に送信する送信手段とを有する画像送信装置と、
前記画像送信装置から送信されてきた画像データを受信する受信手段と、前記受信手段により受信された画像データに基づいて画像形成を行う画像形成手段とを有する画像受信装置と、
を備えた画像送受信システム。
【請求項１３】
画像データを読み取る画像読み取り手段と、
前記画像読み取り手段により読み取られた画像データ中に含まれる宛先情報が、指定された送信先の宛先情報と一致するか否かを判定する判定手段と、
前記画像読み取り手段により読み取られた画像データに含まれる宛先情報を、送信先の装置が次に送信すべき装置の宛先情報に変更する変更手段と、
前記判定手段における判定結果に基づいて、前記変更手段により宛先情報が変更された画像データを指定された送信先に送信する送信手段と、
を有する画像送信装置。
【請求項１４】
画像データを読み取る画像読み取り手段と、
前記画像読み取り手段により読み取られた画像データ中に含まれる宛先情報が、指定された送信先の宛先情報と一致するか否かを判定する判定手段と、
前記画像読み取り手段により読み取られた画像データに含まれる宛先情報を、送信先の装置が次に送信すべき装置の宛先情報に変更する変更手段と、
前記判定手段における判定結果に基づいて、前記変更手段により宛先情報が変更された画像データを指定された送信先に送信する送信手段と、
送信されてきた画像データを受信する受信手段と、
前記受信手段により受信された画像データに基づいて画像形成を行う画像形成手段と、
を有する画像送受信装置。
【請求項１５】
画像データを読み取る画像読み取り手段と、前記画像読み取り手段により読み取られた画像データ中に含まれる宛先情報が指定された送信先の宛先情報と一致するか否かを判定する判定手段と、前記画像読み取り手段により読み取られた画像データに含まれる宛先情報を、送信先の装置が次に送信すべき装置の宛先情報に変更する変更手段と、前記判定手段における判定結果に基づいて前記変更手段により宛先情報が変更された画像データを指定された送信先に送信する送信手段とを有する画像送信装置と、
前記画像送信装置から送信されてきた画像データを受信する受信手段と、前記受信手段により受信された画像データに基づいて画像形成を行う画像形成手段とを有する画像受信装置と、
を備えた画像送受信システム。
【請求項１６】
画像データを読み取る画像読み取り手段と、
前記画像読み取り手段により読み取られた画像データ中に含まれる宛先情報が、指定された送信先の宛先情報と一致するか否かを判定する判定手段と、
自局の宛先情報が記憶されている記憶手段と、
前記画像読み取り手段により読み取られた画像データに含まれる宛先情報を、前記記憶手段に記憶されている自局の宛先情報に変更する変更手段と、
前記判定手段における判定結果に基づいて、前記変更手段により宛先情報が変更された画像データを指定された送信先に送信する送信手段と、
を有する画像送信装置。
【請求項１７】
画像データを読み取る画像読み取り手段と、
前記画像読み取り手段により読み取られた画像データ中に含まれる宛先情報が、指定された送信先の宛先情報と一致するか否かを判定する判定手段と、
自局の宛先情報が記憶されている記憶手段と、
前記画像読み取り手段により読み取られた画像データに含まれる宛先情報を、前記記憶手段に記憶されている自局の宛先情報に変更する変更手段と、
前記判定手段における判定結果に基づいて、前記変更手段により宛先情報が変更された画像データを指定された送信先に送信する送信手段と、
送信されてきた画像データを受信する受信手段と、
前記受信手段により受信された画像データに基づいて画像形成を行う画像形成手段と、
を有する画像送受信装置。
【請求項１８】
画像データを読み取る画像読み取り手段と、前記画像読み取り手段により読み取られた画像データ中に含まれる宛先情報が指定された送信先の宛先情報と一致するか否かを判定する判定手段と、自局の宛先情報が記憶されている記憶手段と、前記画像読み取り手段により読み取られた画像データに含まれる宛先情報を、前記記憶手段に記憶されている自局の宛先情報に変更する変更手段と、前記判定手段における判定結果に基づいて前記変更手段により宛先情報が変更された画像データを指定された送信先に送信する送信手段とを有する画像送信装置と、
前記画像送信装置から送信されてきた画像データを受信する受信手段と、前記受信手段により受信された画像データに基づいて画像形成を行う画像形成手段とを有する画像受信装置と、
を備えた画像送受信システム。
【請求項１９】
画像データを読み取る画像読み取り手段と、
前記画像読み取り手段により読み取られた画像データ中に含まれる宛先情報が、指定された送信先の宛先情報と一致するか否かを判定する判定手段と、
前記画像読み取り手段により読み取られた画像データに含まれる宛先情報を消去する消去手段と、
前記判定手段における判定結果に基づいて、前記消去手段により宛先情報が消去された画像データを指定された送信先に送信する送信手段と、
を有する画像送信装置。
【請求項２０】
画像データを読み取る画像読み取り手段と、
前記画像読み取り手段により読み取られた画像データ中に含まれる宛先情報が、指定された送信先の宛先情報と一致するか否かを判定する判定手段と、
前記画像読み取り手段により読み取られた画像データに含まれる宛先情報を消去する消去手段と、
前記判定手段における判定結果に基づいて、前記消去手段により宛先情報が消去された画像データを指定された送信先に送信する送信手段と、
送信されてきた画像データを受信する受信手段と、
前記受信手段により受信された画像データに基づいて画像形成を行う画像形成手段と、
を有する画像送受信装置。
【請求項２１】
画像データを読み取る画像読み取り手段と、前記画像読み取り手段により読み取られた画像データ中に含まれる宛先情報が指定された送信先の宛先情報と一致するか否かを判定する判定手段と、前記画像読み取り手段により読み取られた画像データに含まれる宛先情報を消去する消去手段と、前記判定手段における判定結果に基づいて前記消去手段により宛先情報が消去された画像データを指定された送信先に送信する送信手段とを有する画像送信装置と、
前記画像送信装置から送信されてきた画像データを受信する受信手段と、前記受信手段により受信された画像データに基づいて画像形成を行う画像形成手段とを有する画像受信装置と、
を備えた画像送受信システム。
【請求項２２】
送信されてきた画像データを受信する受信手段と、
前記受信手段により受信された画像データに、当該画像データを送信してきた装置の宛先情報を付加する付加手段と、
前記付加手段により宛先情報が付加された画像データに基づいて画像形成を行う画像形成手段と、
を有する画像受信装置。
【請求項２３】
画像データを読み取る画像読み取り手段と、
前記画像読み取り手段により読み取られた画像データを指定された送信先に送信する送信手段と、
送信されてきた画像データを受信する受信手段と、
前記受信手段により受信された画像データに、当該画像データを送信してきた装置の宛先情報を付加する付加手段と、
前記付加手段により宛先情報が付加された画像データに基づいて画像形成を行う画像形成手段と、
を有する画像送受信装置。
【請求項２４】
画像データを読み取る画像読み取り手段と、前記画像読み取り手段により読み取られた画像データを指定された送信先に送信する送信手段とを有する画像送信装置と、
送信されてきた画像データを受信する受信手段と、前記受信手段により受信された画像データに、当該画像データを送信してきた装置の宛先情報を付加する付加手段と、前記付加手段により宛先情報が付加された画像データに基づいて画像形成を行う画像形成手段とを有する画像受信装置と、
を備えた画像送受信システム。
【請求項２５】
送信されてきた画像データを受信する受信手段と、
前記受信手段により受信された画像データに含まれる宛先情報を、当該画像データを送信してきた装置の宛先情報に変更する変更手段と、
前記変更手段により宛先情報が変更された画像データに基づいて画像形成を行う画像形成手段と、
を有する画像受信装置。
【請求項２６】
画像データを読み取る画像読み取り手段と、
前記画像読み取り手段により読み取られた画像データ中に含まれる宛先情報が、指定された送信先の宛先情報と一致するか否かを判定する判定手段と、
画像データを読み取る画像読み取り手段と、
前記画像読み取り手段により読み取られた画像データを指定された送信先に送信する送信手段と、
送信されてきた画像データを受信する受信手段と、
前記受信手段により受信された画像データに含まれる宛先情報を、当該画像データを送信してきた装置の宛先情報に変更する変更手段と、
前記変更手段により宛先情報が変更された画像データに基づいて画像形成を行う画像形成手段と、
を有する画像送受信装置。
【請求項２７】
画像データを読み取る画像読み取り手段と、前記画像読み取り手段により読み取られた画像データを指定された送信先に送信する送信手段とを有する画像送信装置と、
前記画像送信装置から送信されてきた画像データを受信する受信手段と、前記受信手段により受信された画像データに含まれる宛先情報を、当該画像データを送信してきた装置の宛先情報に変更する変更手段と、前記変更手段により宛先情報が変更された画像データに基づいて画像形成を行う画像形成手段とを有する画像受信装置と、
を備えた画像送受信システム。
【請求項２８】
送信されてきた画像データを受信する受信手段と、
前記受信手段により受信された画像データに含まれる宛先情報を消去する消去手段と、
前記消去手段により宛先情報が消去された画像データに基づいて画像形成を行う画像形成手段と、
を有する画像受信装置。
【請求項２９】
画像データを読み取る画像読み取り手段と、
前記画像読み取り手段により読み取られた画像データを指定された送信先に送信する送信手段と、
送信されてきた画像データを受信する受信手段と、
前記受信手段により受信された画像データに含まれる宛先情報を消去する消去手段と、
前記消去手段により宛先情報が消去された画像データに基づいて画像形成を行う画像形成手段と、
を有する画像送受信装置。
【請求項３０】
画像データを読み取る画像読み取り手段と、前記画像読み取り手段により読み取られた画像データを指定された送信先に送信する送信手段とを有する画像送信装置と、
前記画像送信装置から送信されてきた画像データを受信する受信手段と、前記受信手段により受信された画像データに含まれる宛先情報を消去する消去手段と、前記消去手段により宛先情報が消去された画像データに基づいて画像形成を行う画像形成手段とを有する画像受信装置と、
を備えた画像送受信システム。
【発明の詳細な説明】
【技術分野】
【０００１】
本発明は、画像データを送信する画像送信装置、画像送信装置から送信されてきた画像データを受信する画像受信装置、画像データを送受信するためのファクシミリ装置等の画像送受信装置および画像送受信システムに関する。
【背景技術】
【０００２】
遠隔地に画像データを送信するためにファクシミリ装置等の画像送受信装置が用いられている。このような画像送受信装置では、宛先番号を間違えて入力すると誤送信が発生して情報漏洩等の問題が発生する。そのため、原稿画像の誤送信を防止するための機能を備えたファクシミリ装置が提案されている（例えば、特許文献１参照。）。
【０００３】
この特許文献１に開示されたファクシミリ装置では、原稿から抽出した宛先番号と入力された番号が一致するか否かを判定して、送信の可否判断を行うようになっている。
【０００４】
しかし、この特許文献１に開示された従来例においては、宛先番号を原稿から抽出するためにパターン認識を行って「ＦＡＸ番号」等の特定の符号列を検出する必要がある。このような、パターン認識は、処理に時間がかかるとともに誤認識の問題も発生する。
【０００５】
近年、各種の通信販売、アンケート等において、注文用紙等のフォーム原稿をファクシミリ装置により送信し、このフォーム原稿を受信した者が送られてきたフォーム原稿に記入して返信するよう利用がなされている。
【０００６】
しかし、上述したような従来のファクシミリ装置では、送信されてきた用紙に書き込みを行ってそのまま返信するような場合には、誤送信機能が動作することにより送信エラーになってしまうため、誤送信防止機能を使用することができないという問題が発生する。
【０００７】
【特許文献１】特開平８−１９５８６９号公報
【発明の開示】
【発明が解決しようとする課題】
【０００８】
上述した従来の画像送受信装置では、送信されてきた用紙をそのまま返信もしくは転送するような場合には、誤送信防止機能を使用することができないという問題点があった。
【０００９】
本発明の目的は、送信されてきた用紙をそのまま返信もしくは転送するような場合でも、誤送信防止機能を使用することができる画像送受信装置を提供することである。
【課題を解決するための手段】
【００１０】
［画像送信装置］
上記目的を達成するために、本発明の画像送信装置は、画像データを読み取る画像読み取り手段と、
前記画像読み取り手段により読み取られた画像データ中に含まれる宛先情報が、指定された送信先の宛先情報と一致するか否かを判定する判定手段と、
送信先の装置が次に送信すべき装置の宛先情報を、前記画像読み取り手段により読み取られた画像データに付加する付加手段と、
前記判定手段における判定結果に基づいて、前記付加手段により宛先情報が付加された画像データを指定された送信先に送信する送信手段とを有する。
【００１１】
また、本発明の画像送信装置は、画像データを読み取る画像読み取り手段と、
前記画像読み取り手段により読み取られた画像データ中に含まれる宛先情報が、指定された送信先の宛先情報と一致するか否かを判定する判定手段と、
自局の宛先情報が記憶されている記憶手段と、
前記記憶手段に記憶されている自局の宛先情報を、前記画像読み取り手段により読み取られた画像データに付加する付加手段と、
前記判定手段における判定結果に基づいて、前記付加手段により宛先情報が付加された画像データを指定された送信先に送信する送信手段とを有する。
【００１２】
本発明によれば、ファクシミリ原稿を送信する際に、次に送信すべき装置の宛先情報または自局の宛先情報を付加して送信するようにしているので、送信されてきた用紙をそのまま転送するような場合でも、誤送信防止機能を使用することができる。
【００１３】
また、本発明の画像送信装置は、画像データを読み取る画像読み取り手段と、
前記画像読み取り手段により読み取られた画像データ中に含まれる宛先情報が、指定された送信先の宛先情報と一致するか否かを判定する判定手段と、
前記画像読み取り手段により読み取られた画像データに含まれる宛先情報を、送信先の装置が次に送信すべき装置の宛先情報に変更する変更手段と、
前記判定手段における判定結果に基づいて、前記変更手段により宛先情報が変更された画像データを指定された送信先に送信する送信手段とを有する。
【００１４】
また、本発明の画像送信装置は、画像データを読み取る画像読み取り手段と、
前記画像読み取り手段により読み取られた画像データ中に含まれる宛先情報が、指定された送信先の宛先情報と一致するか否かを判定する判定手段と、
自局の宛先情報が記憶されている記憶手段と、
前記画像読み取り手段により読み取られた画像データに含まれる宛先情報を、前記記憶手段に記憶されている自局の宛先情報に変更する変更手段と、
前記判定手段における判定結果に基づいて、前記変更手段により宛先情報が変更された画像データを指定された送信先に送信する送信手段とを有する。
【００１５】
本発明によれば、宛先情報が付加されたファクシミリ原稿を送信する際に、この宛先情報を次に送信すべき装置の宛先情報または自局の宛先情報に変更して送信するようにしているので、送信されてきた用紙をそのまま返信するような場合でも、誤送信防止機能を使用することができる。
【００１６】
［画像受信装置］
さらに、本発明の画像受信装置は、送信されてきた画像データを受信する受信手段と、
前記受信手段により受信された画像データに含まれる宛先情報を、当該画像データを送信してきた装置の宛先情報に変更する変更手段と、
前記変更手段により宛先情報が変更された画像データに基づいて画像形成を行う画像形成手段とを有する。
【００１７】
［画像送受信装置］
また、本発明の画像送受信装置は、画像データを読み取る画像読み取り手段と、
前記画像読み取り手段により読み取られた画像データ中に含まれる宛先情報が、指定された送信先の宛先情報と一致するか否かを判定する判定手段と、
自局の宛先情報が記憶されている記憶手段と、
前記画像読み取り手段により読み取られた画像データに含まれる宛先情報を、前記記憶手段に記憶されている自局の宛先情報に変更する変更手段と、
前記判定手段における判定結果に基づいて、前記変更手段により宛先情報が変更された画像データを指定された送信先に送信する送信手段と、
送信されてきた画像データを受信する受信手段と、
前記受信手段により受信された画像データに基づいて画像形成を行う画像形成手段とを有する。
【００１８】
［画像送受信システム］
また、本発明の画像送受信システムは、画像データを読み取る画像読み取り手段と、前記画像読み取り手段により読み取られた画像データ中に含まれる宛先情報が指定された送信先の宛先情報と一致するか否かを判定する判定手段と、自局の宛先情報が記憶されている記憶手段と、前記画像読み取り手段により読み取られた画像データに含まれる宛先情報を、前記記憶手段に記憶されている自局の宛先情報に変更する変更手段と、前記判定手段における判定結果に基づいて、前記変更手段により宛先情報が変更された画像データを指定された送信先に送信する送信手段とを有する画像送信装置と、
前記画像送信装置から送信されてきた画像データを受信する受信手段と、前記受信手段により受信された画像データに基づいて画像形成を行う画像形成手段とを有する画像受信装置とを備えている。
【発明の効果】
【００１９】
以上説明したように、本発明によれば、ファクシミリ原稿を送信する際、次に送信すべき装置の宛先情報または自局の宛先情報に変更または付加されて送信されるため、送信されてきた用紙をそのまま返信もしくは転送するような場合でも、誤送信防止機能を使用することができるという効果を得ることができる。
【発明を実施するための最良の形態】
【００２０】
[背景]
まず、本発明の理解を助けるために、その背景及び概略を説明する。
上述したように、ファクシミリ送信の際の誤送信を防止するため、原稿から宛先番号を抽出して、入力された番号と一致するか否かを判定して、送信の可否判断を行うような画像送受信装置が提案されている。
【００２１】
ここでは、ファクシミリ送信の際の誤送信を防止するため、送信しようとする原稿に予め送信先の宛先情報を符号化して付加するようにした画像送受信システムを用いて説明する。
【００２２】
ファクシミリ原稿に付加された宛先情報に基づいて誤送信防止を行う画像送受信システムの動作を図１を参照して説明する。
この図１の画像送受信システムでは、Ａさんの画像送受信装置２０１とＢさんの画像送受信装置２０２との間でファクシミリ送信が行われている。
【００２３】
先ず、ＡさんがＢさんに対してある原稿を送信しようとする場合、宛先情報としてＢさんのファクシミリ番号が付加された原稿を用いる。この図１では、Ａさんが送信しようとする原稿には、Ｂさんのファクシミリ番号が符号化された２次元コード９０が宛先情報として付加されている場合を用いて説明している。
【００２４】
このようにファクシミリ原稿に宛先情報が符号化されて付加されている一例を図２に示す。図２に示した例では、２次元コード７０の一例としてＱＲコード（登録商標）が示されている。
【００２５】
この図１に示されたシステムでは、Ａさんの画像送受信装置２０１において、入力されたファクシミリ番号と２次元コード９０を復号することにより得られた宛先情報とが一致する場合にのみＢさんの画像送受信装置２０に対する送信が実行される。そのため、ＡさんがＢさんのファクシミリ番号を誤入力したとしても誤送信が防止される。
【００２６】
しかし、このようなシステムによれば、申し込み用紙や注文用紙等の一定のフォーム原稿を送信し、受信側でフォーム原稿にデータを書き込んでから返信するような場合に下記のような不具合が発生する。
【００２７】
フォーム原稿には、フォーム原稿を送信する際に使用された宛先情報が符号化されて埋め込まれているが、受信者がこのフォーム原稿に記入した後に、記入後のフォーム原稿を返信もしくは転送しようとした場合、既に埋め込まれている宛先情報は自局のファクシミリ番号である。そのため、送信エラーとなってしまい他の画像送受信装置に送信することができない。その結果、フォーム原稿を受信した受信者の画像送受信装置では、誤送信防止機能を使用することができない。
【００２８】
しかし、このようなケースでは、空のフォーム原稿を送信する場合よりも、データが記入されたフォーム原稿後を送信する場合のほうが機密性が高いにもかかわらず、誤送信防止機能を使用できないことになる。
【００２９】
図１に示す例では、Ａさんの画像送受信装置２０１からＢさんの画像送受信装置２０２に対して、Ｂさんのファクシミリ番号がコード化された２次元コード９０が付加されたフォーム原稿を送信するものとする。すると、このフォーム原稿を受信したＢさんが、フォーム原稿に記入後にＡさんの画像送受信装置２０１に返信しようとしても、このフォーム原稿には既にＢさんのファクシミリ番号がコード化された２次元コード９０が付加されているため、画像送受信装置２０２においてエラーが発生してしまい送信することができない。
【００３０】
[実施形態]
次に、本発明の実施の形態について図面を参照して詳細に説明する。
【００３１】
（第１の実施形態）
図３は本発明の第１の実施形態の画像送受信装置１０、２０を含む画像送受信システムを示す図である。
【００３２】
この画像送受信システムは、図３に示されるように、画像送受信装置１０、２０と、パーソナルコンピュータ等の端末装置５０とから構成されている。また、画像送受信装置１０と、画像送受信装置２０とは、公衆回線網、インターネット網等の通信回線網６０により接続されている。また、端末装置５０は、画像送受信装置１０に接続されていて、ファクシミリ（ＦＡＸ）送信しようとする画像データや、印刷しようとする画像データを画像送受信装置１０に転送する。
【００３３】
画像送受信装置１０は、スキャナ等の画像読み取り装置により読み取ったファクシミリ原稿の画像データや、端末装置５０から入力された画像データを、通信回線網６０を介して画像送受信装置２０に送信する。
【００３４】
次に、本実施形態の画像送受信装置１０のハードウェア構成を図４に示す。
画像送受信装置１０は、図４に示されるように、ＣＰＵ１８、メモリ１９、ハードディスクドライブ（ＨＤＤ）等の記憶装置２２、外部のコンピュータなどとデータの送信及び受信を行う通信インタフェース（ＩＦ）２４、タッチパネル又は液晶ディスプレイ並びにキーボードを含むユーザインタフェース（ＵＩ）装置２６、スキャナ２８、印刷装置２９を有する。これらの構成要素は、制御バス１６を介して互いに接続されている。
【００３５】
ＣＰＵ１８は、メモリ１９または記憶装置２２に格納された画像送受信プログラムに基づいて所定の処理を実行して、画像送受信装置１０の動作を制御する。
【００３６】
図５は、上記の画像送受信プログラムが実行されることにより実現される画像送受信装置１０の機能構成を示すブロック図である。
本実施形態の画像送受信装置１０は、図５に示されるように、画像読み取り手段３１と、画像処理手段３２と、宛先情報抽出手段３３と、判定手段３４と、ユーザインタフェース（ＵＩ）装置３５と、記憶手段３６と、宛先情報変更手段３７と、ページメモリ３８と、データ圧縮手段３９と、送信手段４０とを有している。
【００３７】
画像読み取り手段３１は、送信しようとするファクシミリ原稿の画像データを読み取る。画像処理手段３２は、画像読み取り手段３１により読み取られた画像データに対して、フィルタ処理／２値化処理等の画像処理を行う。ページメモリ３８は、画像処理手段３２により画像処理された後の画像データを、送信先装置に送信するための画像データとして格納する。
【００３８】
宛先情報抽出手段３３は、画像処理手段３２により画像処理された後の画像データ中に含まれている宛先情報を検出して復号することにより宛先情報を抽出する。また、宛先情報抽出手段３３は、抽出した宛先情報画像の座標情報を宛先情報変更手段３７に通知する。
判定手段３４は、ＵＩ装置３５により指定された送信先のファクシミリ番号と、宛先情報抽出手段３３により抽出された宛先情報とが一致するか否かを判定する。
【００３９】
ユーザインタフェース（ＵＩ）装置３５は、送信先のファクシミリ番号を入力することにより送信先指定手段として機能する。
【００４０】
記憶手段３６には、自局のファクシミリ番号が２次元コード化されたビットマップデータとして記憶されている。
【００４１】
宛先情報変更手段３７は、宛先情報抽出手段３３から通知された座標情報に基づいて、ページメモリ３８内に格納された送信しようとする画像データに含まれる宛先情報を、記憶手段３６に記憶されている自局の宛先情報に変更する。
【００４２】
具体的には、宛先情報変更手段３７は、画像データ中に含まれている元の宛先情報画像を、新たな宛先情報画像により上書きすることにより宛先情報の変更を行う。画像データ中の宛先情報画像が、変更しようとする新たな宛先情報画像よりも大きい場合には、宛先情報変更手段３７は、新たな宛先情報画像に余白を付けて宛先情報画像の大きさを合わせた後に上書きを行うようにする。
【００４３】
データ圧縮手段３９は、ページメモリ内３８に格納された宛先情報が変更された後の画像データを圧縮する処理を行う。
送信手段４０は、判定手段３４における判定結果に基づいて、データ圧縮手段３９により圧縮された後のデータを指定された送信先装置に送信する。具体的には、送信手段４０は、判定手段３４における判定結果が不一致の場合には、送信先装置への画像データの送信を中止し、判定手段３４における判定結果が一致の場合にのみ画像データの送信を実行する。
【００４４】
次に、本実施形態の画像送受信装置１０の動作を図６のフローチャートを参照して詳細に説明する。
【００４５】
先ず、画像送受信装置１０では、ＵＩ装置３５を介して送信先情報、つまり、送信先装置のファクシミリ番号を取得する（Ｓ１０１）。そして、送信指示が行われると、画像読み取り手段３１はセットされたファクシミリ原稿をスキャンすることにより画像データを取得する（Ｓ１０２）。画像読み取り手段３１により読み取られた画像データは、画像処理手段３２において２値化等の必要な画像処理が行われた後にページメモリ３８に格納される。そして、宛先情報抽出手段３３は、画像処理が行われた後の画像データに含まれる宛先情報画像を検出、複号することにより宛先情報を抽出する（Ｓ１０３）。
【００４６】
次に、判定手段３４は、ＵＩ装置３５を介して指定された送信先のファクシミリ番号と、宛先情報抽出部３３により抽出された宛先情報とが一致するか否かを判定する（Ｓ１０４）。このＳ１０４における判定結果が不一致の場合、ＵＩ装置３５により入力された送信先のファクシミリ番号は誤入力であると判定され、エラー処理が行われる（Ｓ１０５）。具体的には、ＵＩ装置３５等を介して利用者に誤入力の可能性がある旨を表示し、送信手段４０における送信を停止する。
【００４７】
Ｓ１０４における判定結果が一致の場合、宛先情報変更手段３７は、宛先情報抽出手段３３から通知された座標情報を用いて、ページメモリ３８内に格納されている画像データ中の宛先情報画像を、記憶手段３６に格納されている自局の宛先情報画像に変更する（Ｓ１０６）。
【００４８】
その後、ページメモリ３８内の画像データは、データ圧縮手段３９により圧縮処理が行われた後に（Ｓ１０７）、送信手段４０により指定された送信先装置に送信される（Ｓ１０８）。
【００４９】
次に、本実施形態の画像送受信装置１０の動作を図７を参照して説明する。
この図７に示す例では、ＡさんからＢさんにあるファクシミリ原稿を送付し、Ｂさんが受信した用紙に何等かの情報を記入してＡさんに返信する場合が示されている。
【００５０】
先ず、Ａさんの画像送受信装置１０において、Ｂさんのファクシミリ番号が符号化された２次元コード９０が付加されたファクシミリ原稿がセットされ、Ｂさんのファクシミリ番号が設定される。ここでは、ファクシミリ原稿の宛先情報と、設定されファクシミリ番号とが一致する。そして、画像送受信装置１０は、Ｂさんのファクシミリ番号を含む２次元コード９０を自局であるＡさんのファクシミリ番号の２次元コード９１に変更した後に画像データの送信を実行する。
【００５１】
そのため、Ｂさんの画像送受信装置２０では、Ａさんのファクシミリ番号の２次元コード９１が付加された用紙が印刷される。そして、Ｂさんがこの用紙に何らかの情報を記入した後に、画像送受信装置２０にセットして、Ａさんのファクシミリ番号を設定したものとする。すると、画像送受信装置２０では、設定されたファクシミリ番号と、セットされた原稿に付加されている２次元コード９１に含まれる宛先情報とが一致するかの判定が行われる。ここでも、ファクシミリ原稿の宛先情報と、設定されファクシミリ番号とが一致する。そして、画像送受信装置２０は、Ａさんのファクシミリ番号を含む２次元コード９１を自局であるＢさんのファクシミリ番号の２次元コード９０に変更した後に画像データの送信を実行する。
【００５２】
そのため、Ａさんの画像送受信装置１０では、Ｂさんのファクシミリ番号の２次元コード９０が付加された用紙が印刷される。そのため、再度この用紙をＡさんの画像送受信装置１０からＢさんの画像送受信装置２０に返信することも可能となる。
【００５３】
（第２の実施形態）
次に、本発明の第２の実施形態の画像送受信装置について説明する。
【００５４】
上記第１の実施形態は、ファクシミリ原稿を送信する際に、誤送信防止機能を実現するための宛先情報を自局の宛先情報に変更して指定された送信先に送信し、このファクシミリ原稿を受信した送信先では、発信元の装置に返信する場合に誤送信防止機能を使用できるようにしたものであった。
【００５５】
しかし、各種のフォーム原稿を利用した場合でも、かならずしも発信元の装置に返信する場合だけでなく、他の装置に転送する必要がある場合がある。例えば、注文用紙の発信元と、注文を受け付ける場所が異なる場所の場合や、アンケート用紙の発信元とアンケート用紙の集計場所が異なる場所の場合もある。
【００５６】
そのため、本発明の第２の実施形態の画像送受信装置では、ファクシミリ原稿を送信する際に、送信しようとする画像データ中に含まれる宛先情報画像を、自局の宛先情報に変更するのではなく、送信先の装置が次に送信すべき装置の宛先情報に変更するようにする。
【００５７】
次に、本発明の第２の実施形態の画像送受信装置１０ａ、２０ａ、３０ａの動作を、図８を参照して説明する。
本実施形態の画像送受信装置１０ａ、２０ａ、３０ａは、送信しようとする画像データ中の宛先情報を変更する宛先情報が、自局の宛先情報から次に送信すべき装置の宛先情報に代わったのみであり、その他の構成は図５に示した構成と同様であるため、ここではその説明は省略する。
【００５８】
図８に示す例では、ＡさんからＢさんにファクシミリ原稿を送信し、このファクシミリ原稿を受信したＢさんは何等かの情報を記入した後にＣさんに転送する場合を示している。
【００５９】
先ず、Ａさんの画像送受信装置１０ａにおいて、Ｂさんのファクシミリ番号が符号化された２次元コード９０が付加されたファクシミリ原稿がセットされ、Ｂさんのファクシミリ番号が設定される。ここでは、ファクシミリ原稿の宛先情報と、設定されファクシミリ番号とが一致する。そして、画像送受信装置１０ａは、Ｂさんのファクシミリ番号を含む２次元コード９０を、次に送信すべきであるＣさんのファクシミリ番号の２次元コード９２に変更した後に画像データの送信を実行する。
【００６０】
そのため、Ｂさんの画像送受信装置２０ａでは、Ｃさんのファクシミリ番号の２次元コード９２が付加された用紙が印刷される。そして、Ｂさんがこの用紙に何らかの情報を記入した後に、画像送受信装置２０ａにセットして、Ｃさんのファクシミリ番号を設定したものとする。すると、画像送受信装置２０ａでは、設定されたファクシミリ番号と、セットされた原稿に付加されている２次元コード９１に含まれる宛先情報とが一致するかの判定が行われる。ここでも、ファクシミリ原稿の宛先情報と、設定されファクシミリ番号とが一致する。そのため、画像送受信装置２０ａは、Ｃさんの画像送受信装置３０ａに対して画像データの送信を実行する。
【００６１】
[変形例]
上記実施形態では、全ての画像送受信装置において画像送信機能と画像受信機能とが備えられているものとして説明しているが、画像送信機能のみを備えた画像送信装置または画像受信機能のみを備えた画像受信装置に対しても、本発明は同様に適用することができるものである。そして、少なくとも１つの画像送信装置と少なくとも１つの画像受信装置とがあれば画像送受信システムを構成することは可能である。
【００６２】
また、上記実施形態では、送信しようとするフォーム原稿には予め送信先の装置のファクシミリ番号がコード化された宛先情報が付加されているものとして説明した。しかし、最初の段階において、送信しようとするフォーム原稿には宛先情報が付加されていない場合でも、本発明は同様に適用することができるものである。
【００６３】
上述したように空のフォーム原稿を送信する場合よりも、何らかの情報が記入された後のフォーム原稿を送信する場合のほうが、より誤送信防止機能が必要であると考えられる。そのため、空のフォーム原稿を送信しようとする際には誤送信防止機能を使用せず、記入されたフォーム原稿を返信または別の装置に転送する場合にのみ誤送信防止機能を利用するようにしてもよい。
【００６４】
つまり、図７に示したシステムにおいて、Ａさんは宛先情報が付加されていないフォーム原稿をＢさんに送信しようとし、画像送受信装置１０では、宛先情報と入力されたファクシミリ番号との一致を判定しないようにする。そして、読み取られたフォーム原稿は、画像送受信装置１０において、Ａさんのファクシミリ番号がコード化された２次元コード９１が付加されてＢさんの画像送受信装置２０に送信される。
【００６５】
この場合には、図５に示した画像送受信装置１０において、宛先情報抽出手段３３、判定手段３４が不要となり、宛先情報変更手段３７は、自局の宛先情報または次に送信すべき装置の宛先情報を付加するための宛先情報付加手段として機能することになる。
【００６６】
また、上記実施形態では、画像データの送信を行う送信装置側で宛先情報の変更を行っていたが、宛先情報と指定された送信先の宛先情報とが一致することを確認した後に、宛先情報を消去したままとしてもよい。このようにすれば、画像受信装置側では、誤送信防止機能でエラーとなることなく返信または転送を行うことが可能となる。ただし、この場合には、画像受信装置側では誤送信防止機能を利用することはできない。
【００６７】
この場合には、送信しようとする画像データに含まれる宛先情報を消去する消去手段を宛先情報変更手段３７の替わりに設けるようにすればよい。
【００６８】
さらに、上記実施形態では、画像データの送信を行う画像送受信装置側で宛先情報の変更を行うようにしているが、画像データを受信する画像受信装置側で宛先情報の変更、付加または消去を行うようにしてもよい。
【００６９】
この場合には、送信されてきた画像データを受信する受信手段と、受信された画像データに基づいて印刷等の画像形成を行う画像形成手段とを備えた画像受信装置に対して、図５に示したような宛先情報変更手段３７、付加手段または消去手段を設けるようにすればよい。
【００７０】
さらに、本発明には、宛先情報を変更、付加または消去するだけでなく、画像読み取り手段により読み取られた画像データまたは受信手段により受信された画像データ中に含まれる宛先情報に対して何等かの処理を行う処理手段が画像送信装置または画像受信装置に設けられているような構成も含まれる。
【００７１】
さらに、上記実施形態では、宛先情報画像として２次元コードを用いた場合について説明しているが、本発明はこのような場合に限定されるものではなく、バーコード等の１次元コードなど他の情報を宛先情報として用いた場合でも同様に適用することができるものである。
【図面の簡単な説明】
【００７２】
【図１】ファクシミリ原稿に付加された宛先情報に基づいて誤送信防止を行う画像送受信システムの動作を説明するための図である。
【図２】宛先情報が符号化された２次元コードが付加されたファクシミリ原稿の一例を示す図である。
【図３】本発明の第１の実施形態の画像送受信装置１０を含むシステムの構成を示す図である。
【図４】本発明の第１の実施形態の画像送受信装置１０のハードウェア構成を示すブロック図である。
【図５】本発明の第１の実施形態の画像送受信装置１０の機能構成を示すブロック図である。
【図６】本発明の第１の実施形態の画像送受信装置１０の動作を示すフローチャートである。
【図７】本発明の第１の実施形態の画像送受信装置１０、２０の動作を説明するための図である。
【図８】本発明の第２の実施形態の画像送受信装置１０ａ、２０ａ、３０ａの動作を説明するための図である。
【符号の説明】
【００７３】
１０、１０ａ    画像送受信装置
１６    制御バス
１８    ＣＰＵ
１９    メモリ
２０、２０ａ    画像送受信装置
２２    記憶装置
２４    通信インタフェース（ＩＦ）
２６    ユーザインタフェース（ＵＩ）装置
２８    スキャナ
２９    印刷装置
３０ａ    画像送受信装置
３１    画像読み取り手段
３２    画像処理手段
３３    宛先情報抽出手段
３４    判定手段
３５    ユーザインタフェース（ＵＩ）装置
３６    記憶手段
３７    宛先情報変更手段
３８    ページメモリ
３９    データ圧縮手段
４０    送信手段
５０    端末装置
６０    通信回線網
７０    ２次元コード
９０    ２次元コード（Ｂさんのファクシミリ番号）
９１    ２次元コード（Ａさんのファクシミリ番号）
９２    ２次元コード（Ｃさんのファクシミリ番号）
Ｓ１０１〜Ｓ１０８    ステップ
２０１、２０２    画像送受信装置
【図１】
2007306181.tif 000003
【図２】
2007306181.tif 000004
【図３】
2007306181.tif 000005
【図４】
2007306181.tif 000006
【図５】
2007306181.tif 000007
【図６】
2007306181.tif 000008
【図７】
2007306181.tif 000009
【図８】
2007306181.tif 000010